(57)【要約】  【課題】    模様自体が明るく発光して高い装飾効果が得られ、意匠パターンの変更が容易であり、低価格且つ安価で取り扱いに優れた装飾効果の高い遊技機における装飾表示装置を提供する。  【解決手段】  遊技機に設ける装飾表示装置５０を、アクリル板などの導光板に光を拡散する性質の塗料で模様を印刷した２枚の表示プレート５５と、これらの表示プレート５５を着脱可能に支持するフレーム６２と、このフレーム６２に装着された表示プレートの端面に光を照射する光源部（ＬＥＤ基板７０）とで構成する。表示プレート５５内を伝播する光が模様に当たると拡散して模様が発光するので、光源部を制御して２枚の表示プレートの模様を個別に所望の色や点灯パターンにて発光可能になると共に、ＬＥＤ基板７０が立設して装着されているので装飾表示装置５０の厚みを薄くできる。  【選択図】  図７
2007037891.tif 000002
【特許請求の範囲】
【請求項１】
遊技機に設けられる装飾表示装置であって、光を拡散する模様を導光板に付した表示プレートと、前記表示プレートの端面に光を照射する光源部が少なくとも取り付けられた基板とを有し、
前記基板は、その板厚方向が前記表示プレートの板厚方向と同方向で、前記表示プレートの端面から連なるように設けられていることを特徴とする遊技機における装飾表示装置。
【請求項２】
前記表示プレートを着脱可能に支持する受け部材を有することを特徴とする請求項１に記載の遊技機における装飾表示装置。
【請求項３】
前記受け部材は、装飾表示装置を遊技機に取り付けるためのフレーム、遊技機の枠部材、遊技機の遊技媒体貯留皿または遊技機に取り付けられる遊技装置の筐体に形成されていることを特徴とする請求項２に記載の遊技機における装飾表示装置。
【請求項４】
前記基板は、前記受け部材に内蔵されていることを特徴とする請求項２または請求項３に記載の遊技機における装飾表示装置。
【請求項５】
前記光源部の光源は表面実装型の発光ダイオードであり、この発光ダイオードから出射する光を反射する反射部材を設け、この反射部材により光を反射させて前記表示プレートの端面に光を照射することを特徴とする請求項１乃至請求項４の何れかに記載の遊技機における装飾表示装置。
【請求項６】
前記反射部材は、前記受け部材または／及び前記基板の表面に形成された光の反射層であることを特徴とする請求項５に記載の遊技機における装飾表示装置。
【請求項７】
前記光源部の光源はランプ型の発光ダイオードであり、この発光ダイオードは、その頭部が表示プレートの端面に臨むように略Ｌ字状の端子で前記基板に取り付けられていることを特徴とする請求項１乃至請求項４の何れかに記載の遊技機における装飾表示装置。
【請求項８】
前記受け部材は、装着された表示プレートのうち前記発光ダイオードから所定距離の範囲内にある部分を覆い隠す目隠し部を有することを特徴とする請求項７に記載の遊技機における装飾表示装置。
【請求項９】
遊技機に設けられる装飾表示装置であって、光を拡散する模様を導光板に付した表示プレートと、前記表示プレートの端面に光を照射する発光ダイオードが少なくとも取り付けられた基板とを有し、
前記表示プレートの端面または端面近傍に孔を穿設し、この孔に前記発光ダイオードが臨むように、前記基板をその板厚方向が前記表示プレートの板厚方向と同方向となるように前記表示プレートに付設したことを特徴とする遊技機における装飾表示装置。
【請求項１０】
前記発光ダイオードから出射する光を反射する反射部材を設け、この反射部材により光を反射させて前記孔の端面に光を照射することを特徴とする請求項９に記載の遊技機における装飾表示装置。
【請求項１１】
前記表示プレートは、第１表示プレートと第２表示プレートとからなり、前記光源部は、前記第１表示プレートの端面に光を照射する第１光源部と前記第２表示プレートの端面に光を照射する第２光源部とからなり、
前記第１表示プレートは前記第２表示プレートの前面側に位置し、この第１表示プレート及び第２表示プレートの一部または全部が重なり合って所定の模様が形成されることを特徴とする請求項１乃至請求項１０の何れかに記載の遊技機における装飾表示装置。
【請求項１２】
前記第１光源部から出射された光が前記第２表示プレートに、及び第２光源部から出射された光が前記第１表示プレートに入射するのを防止する防止部材を有することを特徴とする請求項１１に記載の遊技機における装飾表示装置。
【請求項１３】
前記光源部の点灯パターンを制御する制御部を備え、前記光源部は、出射する光の色を切り替え可能であり、前記制御部は、前記光源部が出射する光の色を切り替えることを特徴とする請求項１乃至請求項１２の何れかに記載の遊技機における装飾表示装置。
【請求項１４】
前記表示プレートは、光を拡散する性質の塗料で模様を導光板に印刷したものであることを特徴とする請求項１乃至請求項１３の何れかに記載の遊技機における装飾表示装置。
【請求項１５】
前記表示プレートは、光を拡散する性質の塗料で模様を印刷したフィルムシートを導光板に貼着したものであることを特徴とする請求項１乃至請求項１３の何れかに記載の遊技機における装飾表示装置。
【請求項１６】
前記フィルムシートは、模様の形に切り取られたものであることを特徴とする請求項１５に記載の遊技機における装飾表示装置。
【発明の詳細な説明】
【技術分野】
【０００１】
本発明は、パチンコ機等の遊技機に設けられる装飾表示装置に関する。
【背景技術】
【０００２】
従来より、パチンコ遊技機の枠や遊技盤、あるいはスロットマシーン遊技機の筐体等には、遊技状態に応じて点灯や点滅して演出効果を高めるため、ランプやＬＥＤ（発光ダイオード）等の光源を用いた装飾表示装置を設けることが行われており、その手法としては、たとえば光源をバックライトとして用い、装飾表示装置前面の意匠パターンを間接的に照明したり、光源を装飾表示装置前面の意匠パターンに合わせて配置し、この意匠パターンを直接的に照明する方法が取られている。
【０００３】
ここで光源をバックライトとして用いる場合には、装飾表示装置の背部に光源や光源に電力を供給するための基板等を組み込む必要があり、その結果、装飾表示装置の厚みが増して、スペース的に制約がある遊技機においては取り扱い上好ましくない。さらに、間接照明であるため、満足のいく十分な表現力やアピール力を与えるものではなかった。
【０００４】
また装飾表示装置を直接的に照明する場合には、ランプやＬＥＤが露出することになるので色彩的には鮮やかになるものの、装飾表示装置の表面や内部に光源を配置する複雑な構造を取らなければならず、従って意匠パターンに合わせて上手く光源を設置することができず意匠的には味気ないものとなり、これもまた満足のいく十分な表現力やアピール力を与えるものではなかった。
【０００５】
そこで近年においては、これらの課題に鑑み、ＥＬ（エレクトロルミネッセンス）素子を用いて絵柄や文字、数字等を発光させることのできる装飾表示装置としてのＥＬ表示装置を設け、装飾効果の向上を図った遊技機が提案されている（たとえば、特許文献１、２参照）。このようなＥＬ表示装置を用いれば、使い勝手のよい薄型の装飾表示装置を構成することが可能となり、且つ装飾表示装置の意匠パターンを、その形状に合わせて直接的に照明することも可能となる。
【０００６】
【特許文献１】特開平８−１９１９２２号公報
【特許文献２】特開２００４−８６２２号公報
【発明の開示】
【発明が解決しようとする課題】
【０００７】
しかしながら、一般的にＥＬ素子を用いたＥＬ表示装置は、ランプやＬＥＤに比べ発光強度が弱く、明るいホール内では不向きであると共にインバータ等の制御装置が必要となり高価になるという問題点がある。
【０００８】
本発明は、このような問題点の少なくとも何れかを解決するためになされたもので、その目的とするところは、意匠パターン（デザイン）の変更が容易であり、且つ安価で取り扱いに優れた装飾効果の高い遊技機における装飾表示装置を提供することにある。
【課題を解決するための手段】
【０００９】
このような問題を解決するために、本発明の遊技機における装飾表示装置は、請求項１に記載したように、遊技機に設けられる装飾表示装置であって、光を拡散する模様を導光板に付した表示プレートと、前記表示プレートの端面に光を照射する光源部が少なくとも取り付けられた基板とを有し、前記基板は、その板厚方向が前記表示プレートの板厚方向と同方向で、前記表示プレートの端面から連なるように設けられていることを特徴とする。
【００１０】
上記発明によれば、表示プレートの端面から入射した光が導光板内を伝播し、模様に衝突すると光が拡散されて導光板の外へ出射し、模様の部分が発光する。ここで光源部は基板に取り付けられており、この基板は、その板厚方向が表示プレートの板厚方向と同方向で、表示プレートの端面から連なるように設けられている。この構成では、板厚方向において基板が表示プレートから突出することがなく、また、表示プレートの端面から光を照射するだけで、表示プレートを電気的に接続することなく、表示プレートの模様自体を発光することができる。また、表示プレートに照射する光の色を変えるだけで、模様の発光色が変わり、装飾効果を変化させることができる。なお、導光板の材料としては、屈折率が高い透明材料としてのメタクリル樹脂（ＰＭＭＡ）、アクリル樹脂等が好ましい。
【００１１】
また、請求項２の発明は、請求項１に記載の遊技機における装飾表示装置において、前記表示プレートを着脱可能に支持する受け部材を有することを特徴とする。表示プレートの受け部材への取り付け方法は問わない。たとえば、定位置に嵌めこんだ後に螺子で固定してもよいし、パチン錠などの係止具で表示プレートを固定してもよい。表示プレートの周囲４辺すべてを取り囲むものであっても、一部の辺が開放されたもの、たとえばコ字型やＬ字型であってもよい。また１辺だけで支持するものであってもよい。要は、模様が視認可能であって表示プレートを着脱可能に支持するものであればよい。
【００１２】
また、請求項３の発明は、請求項２に記載の遊技機における装飾表示装置において、前記受け部材は、装飾表示装置を遊技機に取り付けるためのフレーム、遊技機の枠部材、遊技機の遊技媒体貯留皿または遊技機に取り付けられる遊技装置の筐体に形成されていることを特徴とする。たとえば遊技機がパチンコ遊技機の場合には、枠部材としては外枠、内枠（ガラス扉枠、皿扉枠）等であり、遊技媒体貯留皿は打球供給皿、余剰球受皿等であり、遊技装置は図柄表示装置や役物としてのアタッカ、チューリップ等である。なお、遊技機は、パチンコ遊技機以外に、スロットマシーン、アレンジ、雀球等が考えられる。また、受け部材は一体的に形成してもよいし、別体で形成してもよい。
また、請求項４の発明は、請求項２または請求項３に記載の遊技機における装飾表示装置において、前記基板は、前記受け部材に内蔵されていることを特徴とする。上記発明によれば、基板が受け部材に内蔵されている。基板を受け部材に内蔵する方法は問わない。たとえば、基板を取り付け部材等を用いて取り付けてもよいし、受け部材に直接取り付けるように構成してもよい。
【００１３】
また、請求項５の発明は、請求項１乃至請求項４の何れかに記載の遊技機における装飾表示装置において、前記光源部の光源は表面実装型の発光ダイオードであり、この発光ダイオードから出射する光を反射する反射部材を設け、この反射部材により光を反射させて前記表示プレートの端面に光を照射することを特徴とする。上記発明によれば、光源部の光源に表面実装型の発光ダイオードを用いるので、基板の板厚を薄くすることができる。また、反射部材により発光ダイオードから出射する光を反射させて表示プレートの端面に光を照射するようにしたので、発光ダイオードの視野角（指向性）には関係なく様々な角度と方向から表示プレート内に光が入射する。なお、この構成では、発光ダイオードから出射する光のうち、直接表示プレート内に入射するものがあってもよい。
【００１４】
また、請求項６の発明は、請求項５に記載の遊技機における装飾表示装置において、前記反射部材は、前記受け部材または／及び前記基板の表面に形成された光の反射層であることを特徴とする。上記発明によれば、反射層は、受け部材または／及び基板の表面をメッキするなどにより容易に形成される。
【００１５】
また、請求項７の発明は、請求項１乃至請求項４の何れかに記載の遊技機における装飾表示装置において、前記光源部の光源はランプ型の発光ダイオードであり、この発光ダイオードは、その頭部が表示プレートの端面に臨むように略Ｌ字状の端子で前記基板に取り付けられていることを特徴とする。上記発明によれば、光源部の光源にランプ型の発光ダイオードを用いているものの、発光ダイオードの端子を略Ｌ字状に折り曲げて基板に取り付けられているので、基板の板厚を薄くすることができる。また、表示プレートの端面に発光ダイオードの頭部が臨んで、発光ダイオードから出射する光は直接表示プレート内に入射する。
【００１６】
また、請求項８の発明は、請求項７に記載の遊技機における装飾表示装置において、前記受け部材は、装着された表示プレートのうち前記発光ダイオードから所定距離の範囲内にある部分を覆い隠す目隠し部を有することを特徴とする。上記発明によれば、発光ダイオードからの光は指向性を持って広がり、発光ダイオードの近くでは指向性の境界に沿って光の筋が生じ易いが、そのような部分が目隠し部により覆い隠される。目隠し部は、不透明のほか透明度の低いスモーク状にしてもよい。
【００１７】
また、請求項９の発明は、遊技機に設けられる装飾表示装置であって、光を拡散する模様を導光板に付した表示プレートと、前記表示プレートの端面に光を照射する発光ダイオードが少なくとも取り付けられた基板とを有し、前記表示プレートの端面または端面近傍に孔を穿設し、この孔に前記発光ダイオードが臨むように、前記基板をその板厚方向が前記表示プレートの板厚方向と同方向となるように前記表示プレートに付設したことを特徴とする。
【００１８】
上記発明によれば、表示プレートの端面または端面近傍に穿設された孔に発光ダイオードが臨んでいるので、発光ダイオードからの光は、孔の端面から入射して導光板内を伝播し、模様に衝突すると光が拡散されて導光板の外へ出射し、模様の部分が発光する。ここで発光ダイオードは基板に取り付けられており、この基板は、その板厚方向が表示プレートの板厚方向と同方向となるように表示プレートに付設されている。この構成では、請求項１の発明とほぼ同様に、板厚方向において基板が表示プレートから突出することがほとんどなく、また、表示プレートに光を照射するだけで、表示プレートを電気的に接続することなく、表示プレートの模様自体を発光することができる。また、表示プレートに照射する光の色を変えるだけで、模様の発光色が変わり、装飾効果を変化させることができる。
【００１９】
なお、請求項９の発明にて用いる発光ダイオードは表面実装型のものが望ましく、ランプ型の発光ダイオードを用いる場合には、請求項７の発明のように、発光ダイオードの頭部が孔の端面に臨むように、発光ダイオードの端子を略Ｌ字状に折り曲げて基板に取り付けるのが望ましい。
【００２０】
また、請求項１０の発明は、請求項９に記載の遊技機における装飾表示装置において、前記発光ダイオードから出射する光を反射する反射部材を設け、この反射部材により光を反射させて前記孔の端面に光を照射することを特徴とする。上記発明によれば、請求項５の発明とほぼ同様に、反射部材により発光ダイオードから出射する光を反射させて表示プレートの孔の端面に光を照射するようにしたので、発光ダイオードの視野角（指向性）には関係なく様々な角度と方向から表示プレート内に光が入射する。
【００２１】
また、請求項１１の発明は、請求項１乃至請求項１０の何れかに記載の遊技機における装飾表示装置において、前記表示プレートは、第１表示プレートと第２表示プレートとからなり、前記光源部は、前記第１表示プレートの端面に光を照射する第１光源部と前記第２表示プレートの端面に光を照射する第２光源部とからなり、前記第１表示プレートは前記第２表示プレートの前面側に位置し、この第１表示プレート及び第２表示プレートの一部または全部が重なり合って所定の模様が形成されることを特徴とする。
【００２２】
上記発明によれば、第１光源部及び第２光源部により第１表示プレート及び第２表示プレートに端面側から入射した光がそれぞれ導光板内を伝播し、模様に衝突すると光が拡散されて導光板の外へ出射し、模様の部分が発光する。つまり第１表示プレート及び第２表示プレートの一部または全部が重なり合って形成された所定の模様が発光する。
【００２３】
また、請求項１２の発明は、請求項１１に記載の遊技機における装飾表示装置において、前記第１光源部から出射された光が前記第２表示プレートに、及び第２光源部から出射された光が前記第１表示プレートに入射するのを防止する防止部材を有することを特徴とする。上記発明によれば、第１光源部及び第２光源部から出射された光は指向性を持って広がるものの、防止部材により遮光されて、第１光源部から出射された光は第１表示プレートの端面に、第２光源部から出射された光は第２表示プレートの端面にのみ入射する。
【００２４】
また、請求項１３の発明は、請求項１乃至請求項１２の何れかに記載の遊技機における装飾表示装置において、前記光源部の点灯パターンを制御する制御部を備え、前記光源部は、出射する光の色を切り替え可能であり、前記制御部は、前記光源部が出射する光の色を切り替えることを特徴とする。
【００２５】
上記発明によれば、模様は受けた光を拡散して発光するので、照明する光の色を変えることで模様の発光色が変わる。たとえば、模様が光を拡散する白色の塗料で描かれている場合には、模様は照射された光の色で発光する。模様が赤や緑など特定の色で描かれている場合は、ほぼ模様の塗料の色と照射された光の色とを混合した色が模様の発光色になる。たとえば、光源として光の３原色を用意すれば、これらを組み合わせてフルカラー発光が可能になり、様々な色で模様を発光させることが可能になる。
【００２６】
また、請求項１１の発明に係わり、制御部が第１光源部及び第２光源部の点灯パターンを制御することにより、第１表示プレートの模様の発光パターンと第２表示プレートの模様の発光パターンとを相違させることができる。
【００２７】
また、請求項１４の発明は、請求項１乃至請求項１３の何れかに記載の遊技機における装飾表示装置において、前記表示プレートは、光を拡散する性質の塗料で模様を導光板に印刷したものであることを特徴とする。たとえば、光を拡散する性質の塗料をスクリーン印刷することにより、容易に模様を導光板に形成することができる。印刷された模様は、光源の発光色（波長）と模様の印刷色との関係により、導光板内の光を拡散して所定の色及び発光強度にて発光する。
また、請求項１５の発明は、請求項１乃至請求項１３の何れかに記載の遊技機における装飾表示装置において、前記表示プレートは、光を拡散する性質の塗料で模様を印刷したフィルムシートを導光板に貼着したものであることを特徴とする。上記発明によれば、光を拡散する性質の塗料で模様を印刷したフィルムシートを導光板に貼着することで、模様が導光板に形成される。フィルムシートを貼り替えるだけで表示プレート上の模様やデザインの変更が可能になる。
【００２８】
模様はフィルムシートの表裏いずれに形成してもよい。導光板に貼着する面に模様を形成する場合には、フィルムシートは、透明でも不透明でもよく、導光板に貼着する面と反対の面に模様を形成する場合は、フィルムシートは透明や無色透明が望ましい（但し、請求項１１の発明に係わり、前面側に位置する導光板としての第１表示プレートに模様を形成する場合には、貼着する面に関係なく、フィルムシートは透明や無色透明が望ましい）。また、フィルムシートは反射材の役割を兼ねるように構成してもよいし、導光板の背面全体に貼着しても一部のみに貼着してもよい。
【００２９】
また、請求項１６の発明は、請求項１５に記載の遊技機における装飾表示装置において、前記フィルムシートは、模様の形に切り取られたものであることを特徴とする。上記発明によれば、模様の形にカットしたフィルムシートが導光板に貼着される。模様の形に正確にカットする必要はなく、模様の周囲にある程度の余裕を持たせてもよい。また、複数の模様の形に切り取られたフィルムシートを表示プレートに組み合わせて貼り付けるようにしてもよい。
【発明の効果】
【００３０】
請求項１の発明によれば、光源部から表示プレートの端面に光を照射することで表示プレートの模様自体が発光するので、発光しない箇所とのコントラストが強く、高い装飾効果を得ることができる。また、照射する光の色を変えることで模様自体の色を変更しなくても模様の発光色が変わるので、変化に富む装飾効果を得ることができる。
【００３１】
また、光源部が取り付けられた基板は、表示プレートの板厚方向に突出することがなく、装飾表示装置を薄く形成することができ、遊技機の限られたスペース、特に板厚方向（奥行方向）のスペースに制約の大きい遊技機にとっては、極めて取り扱い易いものとなる。
【００３２】
さらに、表示プレートの端面に光を照射するだけで模様自体が発光するので、表示プレートの交換や取り外しの際に配線を切り離したり接続し直したりする必要がなくなり、作業効率が向上する。また、表示プレートを取り替えることで模様を変更できるので、低コストでのデザイン変更が可能になる。
【００３３】
請求項２の発明によれば、請求項１の発明の効果に加え、受け部材で表示プレートを着脱可能に支持しているので、さらに表示プレートの交換や保守点検等が容易となり、取り扱いに優れる。
【００３４】
請求項３の発明によれば、請求項２の発明の効果に加え、装飾表示装置を遊技機の様々な箇所に容易設けることができる。
【００３５】
請求項４の発明によれば、請求項２または請求項３の発明の効果に加え、表示プレートを受け部材の定位置にセットするだけで、表示プレートの端面と光源部とを適正な位置に配置することができ、光の適切な照射状態が確保される。また、光源を別途取り付ける必要がなく、遊技盤への装飾表示装置の取り付け作業が簡略化される。
【００３６】
請求項５の発明によれば、請求項１乃至請求項４の何れかの発明の効果に加え、装飾表示装置を極力薄く形成することができ、また、表示プレートの端面付近に生じる光の筋が発生することなく模様が適切に発光する。
【００３７】
請求項６の発明によれば、請求項５の発明の効果に加え、反射部材をメッキなどにより容易に形成することができる。
【００３８】
請求項７の発明によれば、請求項１乃至請求項４の何れかの発明の効果に加え、光源部の光源がランプ型の発光ダイオードであっても、装飾表示装置を薄く形成することができる。
【００３９】
請求項８の発明によれば、請求項７の発明の効果に加え、光源部の近くに生じる光の筋が覆い隠されて、見栄えが向上する。
【００４０】
請求項９の発明によれば、請求項１の発明とほぼ同様な作用効果を奏する。
【００４１】
請求項１０の発明によれば、請求項９の発明の効果に加え、請求項５の発明とほぼ同様な作用効果を奏する。
【００４２】
請求項１１の発明によれば、請求項１乃至請求項１０の何れかの発明の効果に加え、模様自体が発光する表示プレートが複数（２枚）あるので、それらの模様の組合せや発光態様により、より凝った演出効果の高い表示が可能となり、極めて高い装飾効果を得ることができる。
【００４３】
請求項１２の発明によれば、請求項１１の発明の効果に加え、適正な点灯パターンや点灯色にて第１表示プレートの模様と第２表示プレートの模様とを発光させることができる。
【００４４】
請求項１３の発明によれば、請求項１乃至請求項１２の何れかの発明の効果に加え、照射する光の色を変えるだけで模様自体の色を変更しなくても模様の発光色が変わるので、簡易な装置構成でありながら、変化に富む高い演出効果及び装飾効果を得ることができる。
【００４５】
請求項１４の発明によれば、請求項１乃至請求項１３の何れかの発明の効果に加え、印刷するだけで表示プレートの模様を変えることができ、迅速且つ低コストでデザインの変更が可能になる。さらに、光源の発光色（波長）に対して適宜印刷色を選択することで、所望する色及び発光強度にて模様を発光させることができ、極めて装飾効果が高まる。
【００４６】
請求項１５の発明によれば、請求項１乃至請求項１３の何れかの発明の効果に加え、フィルムシートを貼り替えるだけで表示プレートの模様を変えることができ、低コストでデザインの変更が可能になる。さらに、光源の発光色（波長）に対して適宜フィルムシートに印刷する色を選択することで、所望する色及び発光強度にて模様を発光させることができ、極めて装飾効果が高まる。
【００４７】
請求項１６の発明によれば、請求項１５の発明の効果に加え、模様の形にカットしたフィルムシートを導光板に貼着するようにしたので、貼着するフィルムシートの組み合わせ方や配置を変えるだけで様々なデザインの表示プレートを形成することができ、容易に装飾効果を高めることができる。
【発明を実施するための最良の形態】
【００４８】
以下に、本発明の実施の形態を図を用いて説明する。図１は、遊技機１の全体正面図である。本実施形態の遊技機１は、図１に示すように、図示しない遊技島に固定される外枠１８と、この外枠１８に取り付けられた内枠２１とから構成されており、内枠２１には、遊技者にパチンコ遊技を提供する遊技盤６と、遊技者が操作することにより後述する打球発射装置４３（図１７参照）を作動させる打球操作ハンドル２と、打球発射装置４３によって打ち出された遊技球を誘導する打球誘導レール３と、打ち出された遊技球が一定範囲内で飛球するよう設けられた遊技領域形成レール４と、打球誘導レール３及び遊技領域形成レール４によって囲われた遊技領域５と、遊技領域５に打ち出された遊技球を不測の方向へ変化を与える風車２０と、特別図柄が回転する様子を示す擬似的な表示（以下、スクロール表示ともいう）を行う特別図柄表示装置４５と、遊技球が入賞することによって特別図柄表示装置４５に特別図柄の変動表示を開始させる始動入賞口（電動チューリップ）１１と、特別図柄表示装置４５が特別図柄の変動表示中に遊技球が始動入賞口１１へ入賞した場合に、当該変動表示が終了した後に、あと何回変動表示するか（通常では最高４回）を遊技者に報知するための保留記憶の点灯表示を順次行う４つの保留ＬＥＤ２２と、特別図柄表示装置４５内において３つの特別図柄をそれぞれ個別に表示する左図柄表示部８、中図柄表示部９、右図柄表示部１０と、特別図柄表示装置４５における結果が予め定められた態様になった場合、遊技者に有利に開口される大入賞口７と、本発明の要部となる後に詳述する装飾表示装置５０と、遊技球を打球発射装置４３に供給するための打球供給皿１２と、前記打球供給皿１２に入りきらない球を貯留することができると共に、図示しない貯留球箱に遊技球を移動できるようになっている余剰玉受皿１３と、入賞することによって賞球が払い出される普通入賞口１４と、入賞に対する賞球の払い出しや球詰まり、異常等を報知する遊技効果ランプ１５と、遊技領域５の最下部に設けられた遊技球を回収するアウト口１６と、開閉自在に設けられたガラス扉枠１７と、一桁の普通図柄を表示し、その普通図柄が予め定められた普通図柄である場合、始動入賞口１１としての電動チューリップの羽根を開放する７セグメントＬＥＤで構成された普通図柄表示装置４６と、遊技球が通過することによって普通図柄表示装置４６に普通図柄の変動表示を開始させる普通図柄作動ゲート１９と、普通図柄表示装置４６が普通図柄の変動表示中に遊技球が普通図柄作動ゲート１９を通過した場合に、当該変動表示が終了した後に、あと何回変動表示するか（通常では最高４回）を遊技者に報知するための保留記憶の点灯表示を順次行う４つの保留ＬＥＤ２３とによって構成されている。
【００４９】
図２は、遊技盤６に取り付けられた装飾表示装置５０の分解斜視図である。装飾表示装置５０は、フレーム６２と表示プレート５５（第１プレート５５ａ、第２プレート５５ｂ）とから構成されており、表示プレート５５はフレーム６２から容易に着脱可能になっている。なお、フレーム６２の背面から出ているワイヤハーネス６７は、フレーム６２に内蔵される後述のＬＥＤ基板７０と遊技機１に設置された後述のランプ制御回路３７とを電気的に接続するためのケーブルである。
【００５０】
図３は、表示プレート５５５を示す斜視図である。表示プレート５５は、同一サイズの第１プレート５５ａと第２プレート５５ｂとを２枚重ねにした構造をなしており、第１プレート５５ａが前面側に位置し、第２プレート５５ｂが後面側に位置している。第１プレート５５ａと第２プレート５５ｂとには、後述の模様が印刷されており、両者が重なり合って所定の絵柄が表示プレート５５に表示されるようになっている。
【００５１】
図４は、フレーム６２を示す六面図である。同図（Ａ）は正面図、（Ｂ）は背面図、（Ｃ）は右側面図、（Ｄ）は底面図、（Ｅ）は平面図、（Ｆ）は（Ａ）のＡ−Ａ断面図である。図２及び図４に示すように、フレーム６２は、基部フレーム６３と、左右の側フレーム６４ａ、６４ｂと、背板６５とから構成されている。基部フレーム６３は、基部間仕切り５７を備え、側フレーム６４ａ、６４ｂは、側間仕切り６１ａ、６１ｂを備え、基部間仕切り５７と側間仕切り６１ａ、６１ｂとは連結されてコの字状に形成されている。そして基部フレーム６３と側フレーム６４ａ、６４ｂとは全体でコの字状の枠をなしている。なお、図中５３は、基部フレーム６３の前板である。
【００５２】
フレーム６２は、コの字の開放部分を上に向けた状態で、左右の側フレーム６４ａ、６４ｂの側間仕切り６１ａ、６１ｂで形成されるガイド溝に沿って第１プレート５５ａ及び第２プレート５５ｂの下から嵌め込み、基部フレーム６３の基部間仕切り５７で形成される図４（Ｅ）に示す嵌合溝４８ａ、４８ｂに表示プレート５５の下端部を嵌合するようになっている。従って第１プレート５５ａと第２プレート５５ｂとは、基部間仕切り５７の厚みだけ間隔をおいて重合するようにフレーム６２に取り付けられる。また、フレーム６２は、その左右の側フレーム６４ａ、６４ｂ及び基部フレーム６３の略中央箇所に設けられた鍔６６ａ、６６ｂ、６６ｃに、図示しない螺子を介して遊技盤６に取り付けられるようになっている。
【００５３】
図４（Ｂ）に示す背板６５の下部に形成された切欠６８は、ヒートシンクの役割とワイヤハーネス６７を通過させる役割のために設けてある。また、図４（Ｅ）に示すように基部フレーム６３の左右端部内側にはストッパ片４７ａ、４７ｂ、４７ｃ、４７ｄが設けてある。ストッパ片４７ａ、４７ｂは、第２プレート５５ｂをフレーム６２に装着したときに、ストッパ片４７ｃ、４７ｄは、第１プレート５５ａをフレーム１２に装着したときに、第２プレートの下端面５４ｂ、第１プレートの下端面５４ａと当接して基部フレーム６３の内部に設けられる後述のＬＥＤ基板７０との間に適正なクリアランスを保つ（接触防止も含む）為に形成してある（図７参照）。なお背板６５は、所望の色で着色してもよい。
【００５４】
図５は、ＬＥＤ基板７０の正面図である。図５に示すように、本実施形態においてＬＥＤ基板７０には、赤ＬＥＤ７１ａと青ＬＥＤ７１ｂと緑ＬＥＤ７１ｃの３個を一組としたものが５組一列に並べて取り付けてある。各ＬＥＤ７１ａ、７１ｂ、７１ｃは表面実装型のものを使用している。図中７２は抵抗であり、またＬＥＤ基板７０の裏面側には、図示していない配線パターンがエッチングにより施されている。
【００５５】
ＬＥＤ基板７０の長さは、本実施形態のように赤ＬＥＤ７１ａ、青ＬＥＤ７１ｂ、緑ＬＥＤ７１ｃの組数が５組のときは、たとえば、６０〜２００ｍｍ程度の大きさにて作成可能である。つまりＬＥＤ基板７０の長さは、最小のもので１５ｍｍ（赤ＬＥＤ７１ａ、青ＬＥＤ７１ｂ、緑ＬＥＤ７１ｃの組数が１組）程度から作成でき、一方最大のものは、生基板（基板が切り出される前の基板）の寸法や強度・取り扱いの観点から３０ｍｍ未満が望ましく、それ以上に長くしたいときは、複数枚のＬＥＤ基板７０をコネクタ等で連結して用いるようにすればよい。一方ＬＥＤ基板７０の幅は、ＬＥＤ７１や抵抗７２、及びそれらの素子を結線する配線パターン等の大きさにより、最小でも１０ｍｍ程度の大きさが必要になる。
【００５６】
さらに、ＬＥＤ基板７０の表面には、ＬＥＤ７１の光を反射可能な反射層７４が設けられている。この反射層７４は、光を反射可能なものであれば特に材質などを限定するものではなく、たとえば基板上の導体層にハンダ等の金属メッキを施すことで形成してもよい。
【００５７】
図６（Ａ）は、フレーム６２（基部フレーム６３）内にＬＥＤ基板７０を設置した状態を示す平面図であり、図６（Ｂ）は、フレーム６２（基部フレーム６３）内にＬＥＤ基板７０を設置した状態を示す正面図である。なお、図６（Ｂ）は基部フレーム６３の前板５３（二点鎖線で示す部分）を取り除いた状態を示している。図６に示すように、ＬＥＤ基板７０は、嵌合溝４８ａ内のストッパ片４７ｃ、４７ｄ間、嵌合溝４８ｂ内のストッパ片４７ａ、４７ｂ間に嵌合した状態となっており、すなわち第１プレート５５ａに対応するＬＥＤ基板７０は、嵌合溝４８ａ内において前板５３、基部間仕切り５７、ストッパ片４７ｃ、４７ｄとで形成される箇所に、その裏面側が基部間仕切り５７に付設されるように立設して装着され、一方第２プレート５５ｂに対応するＬＥＤ基板７０は、嵌合溝４８ｂ内において背板６５、基部間仕切り５７、ストッパ片４７ａ、４７ｂとで形成される箇所に、その裏面側が背板６５に付設されるように装着されている。
【００５８】
しかして前板５３の裏面、ストッパ片４７ｃの左側面、ストッパ片４７ｄの右側面、及び基部間仕切り５７の裏面、ストッパ片４７ａの左側面、ストッパ片４７ｂの右側面には、ＬＥＤ７１の光を反射可能な反射層４９ａ、４９ｂが設けられている。この反射層４９ａ、４９ｂは、前記した反射層７４と同様、光を反射可能なものであれば特に材質などを限定するものではない。
【００５９】
つまり嵌合溝４８ａ、４８ｂの内部において、ＬＥＤ７１が点灯すると、このＬＥＤ７１から出射された光は、反射層７４と反射層４９ａ、４９ｂとによって乱反射するようになっている。なお、ＬＥＤ７１を点灯した際の熱は背板１５に開設された切欠１８（図４（Ｂ）参照）から外部へ放出される。さらに右端の切欠６８はワイヤハーネス１７の通過口になっている。
【００６０】
図７は、表示プレート５５（第１プレート５５ａ、第２プレート５５ｂ）をフレーム６２に取り付けた状態の装飾表示装置５０をその内部構造とともに示した正面図である。第１プレートの下端５４ａがストッパ片４７ｃ、４７ｄに、第２プレートの下端５４ｂがストッパ片４７ａ、４７ｂに突き当たることで、第１プレート５５ａと第２プレート５５ｂとが重なり合って所定の絵柄が表示されると共に、嵌合溝４８ａ、４８ｂがほぼ密閉状態にされる。また、各ＬＥＤ７１と表示プレート５５の下端（第１プレートの下端５４ａ、第２プレートの下端５４ｂ）との間にわずかなクリアランスが確保される。
【００６１】
図８は、第１プレート５５ａ、反射テープ５６ａ、反射シート５８ａの分解斜視図である。第１プレート５５ａの周縁部には、反射テープ５６ａが貼着され、第１プレート５５ａの裏面側には模様６０ａが印刷されると共に、この模様６０ａに重なる部分のみに反射シート５８ａが貼着される。なお反射テープ５６ａは、ＬＥＤ７１からの光が入射する箇所となる第１プレートの下端５４ａには形成されないようになっている。
【００６２】
図９は、第２プレート５５ｂ、反射テープ５６ｂ、反射シート５８ｂの分解斜視図である。第２プレート５５ｂは第１プレート５５ａと同一の形状にて形成され、第２プレート５５ｂの周縁部には、反射テープ５６ｂが貼着され、第２プレート５５ｂの裏面側には模様６０ｂが印刷されると共に、第２プレート５５ｂとほぼ同じ大きさの反射シート５８ｂが貼着される。
【００６３】
反射シート５８ａ、５８ｂは、白色や光沢のある色が着色されたシートであればよい。また、第１プレート５５ａにおいては、第１プレート５５ａとほぼ同じ大きさの透明の反射シート５８ａに、模様（印刷部）６０ａに重なる部分のみ白色や光沢のある色を着色すようにしてもよい。さらに第２プレート５５ｂにおいては、模様（印刷部）６０ｂに重なる部分のみに反射シート５８ｂを設け、それ以外の箇所に所望の背景色を施すようにしてもよい。つまり反射シート５８ａは、模様（印刷部）６０ａの発光強度を向上させると共に、第１プレート５５ａと第２プレート５５ｂとを重ね合わせたとき、第２プレート５５ｂの模様（印刷部）６０ｂが透視できることが必要であり、一方反射シート５８ｂは、最低限、模様（印刷部）６０ｂの発光強度を向上させればよい。
【００６４】
反射テープ５６ａ、５６ｂは、反射シート５８ａ、５８ｂと同様、白色や光沢のある色が着色されたテープであればよい。これらにより、第１プレート５５ａ、第２プレート５５ｂの内部を通過する光が外界との境界で反射されて外部への漏れが防止され、模様（印刷部）６０ａ、６０ｂの発光強度が向上する。
【００６５】
導光板としての第１プレート５５ａ、第２プレート５５ｂは、肉厚が数ミリ程度（たとえば２〜５ｍｍ）にて形成されており、その裏側（反射シート５７ａ、５８ｂ側）には光を拡散する模様（発光部）としての印刷部６０ａ、６０ｂがスクリーン印刷されている。この印刷に使用される塗料（インキ）は、拡散反射特性を有し散乱材を含有するもので、材料としては、パール材やガラス、ビーズ顔料、白色顔料等があり、さらに拡散性や発色性を持たせ発光強度を向上させるため有機蛍光誘導体と非有機系化合物を加えるようにしてもよい。
【００６６】
具体的には、シリコーン樹脂粒子やポリスチレン樹脂粒子等の透明有機樹脂粒子、Ａｌ２Ｏ３、ＴｉＯ２、ＳｉＯ２等の金属酸化物粒子、ＢａＳＯ４等の硫酸塩粒子、ＣａＣＯ３等の炭酸塩粒子、ガラス微粉末やガラスバルーンなどの無機化合物粒子、ミクロエアーセル等が挙げられ、これらを単独で又は２種以上を併用して使用することができる。
【００６７】
反射効率や塗料の印刷性等を考慮した場合、これら材料の粒子の平均粒径は０．０１〜２０μｍ程度、特に０．０５〜１μｍ程度であることが好ましく、また、光反射層中の含有量は０．５〜５０重量％程度、特に３〜２０重量％程度であることが好ましい。なお、塗料は、アクリル樹脂、ウレタン樹脂、エポキシ樹脂等の熱硬化性樹脂、あるいはアクリル系、ゴム系、エラストマー系等の粘着剤をバインダーとするものを用いることができる。
【００６８】
なお、印刷は、スクリーン印刷以外に、たとえばオフセット印刷、グラビヤ印刷、凸版印刷、パッド印刷、インクジェット印刷等の印刷方式を採用でき、好ましくは表示プレート５５の成型工程において、インライン方式で印刷するのがよい。また、印刷の厚さは、過度に薄いと光反射効率が十分でなく、逆に過度に厚くても光反射効率には大差がないにもかかわらず、印刷コストの高騰や印刷の剥離の問題も生じてくるため、これらを勘案して適切に選択するのが好ましく、通常は２０〜２００μｍ程度の厚さとすることが好ましい。
【００６９】
また、表示プレート５５を構成する導光板の材料としては、屈折率が高い透明材料が用いられ、メタクリル樹脂（ＰＭＭＡ）、アクリル樹脂等が好ましく、それ以外にもプラスチック、エラストマーなどの中から目的に応じて適宜選択することができ、たとえば、ポリスチレン、スチレン・メチルメタクリレート共重合体、ポリメチルペンテン、アリルグリコールカーボネート樹脂、スピラン樹脂、アモルファスポリオレフィン、ポリカーボネート、ポリアミド、ポリアリレート、ポリサルホン、ポリアリルサルホン、ポリエーテルサルホン、ポリエーテルイミド、ポリイミド、ジアリルフタレート、フッ素樹脂、ポリエステルカーボネート、ノルボルネン系樹脂（ＡＲＴＯＮ）、脂環式アクリル樹脂（オプトレッツ）、シリコーン樹脂、アクリルゴム、シリコーンゴム等の透明材料が挙げられる。
【００７０】
また、導光板（メタクリル樹脂、アクリル樹脂）の製法としては、セルキャスト製法や押出し製法があり、製造過程の違いから押出し板はキャスト板に比べ分子量が低く、物性的に耐熱温度・耐衝撃性・表面硬度などが若干劣るものの、熱成形しやすいメリットがあり、この製法についても目的に応じて適宜選択すればよい。本実施の形態では、キャスト板を使用している。
【００７１】
このように表示プレート５５（第１プレート５５ａ、第２プレート５５ｂ）は、光を拡散する模様６０ａ、６０ｂである発光部を印刷により形成できるので、自由な色で様々な文字やデザインを発光部として極めて容易に採用できるようになる。
【００７２】
ここで、図１０を参照しながら、ＬＥＤ７１から発せられた光が第１プレート５５ａ、第２プレート５５ｂ内部に入射する過程を説明する。図１０に示すように、２列に設置されたＬＥＤ７１から発せられる光は、ほぼ密閉状態の嵌合溝４８ａ、４８ｂ内において反射層４９ａ、４９ｂと反射層７４とに衝突して乱反射し、最終的に必ず対応する第１プレートの下端５４ａ及び第２プレートの下端５４ｂから第１プレート５５ａ、第２プレート５５ｂ内部に入射光５１として入射するようになっている。なお、基部間仕切り５７が隣のＬＥＤ７１からの入射光５１の侵入を防止する防止部材としての機能を果たしており、これにより、第１プレート５５ａ及び第２プレート５５ｂの後述する点灯制御を適正なものとしている。なお、図１０は、基部フレーム６３内に２列に設置されたＬＥＤ７１から発せられる光が、反射層４９ａ、４９ｂ及び反射層７４に反射して第１プレート５５ａ、第２プレート５５ｂ内部に入射する様子を示す断面図である。
【００７３】
つまり本実施の形態においては、図１０に示すように、ＬＥＤ基板７０を立設して基部フレーム６３内に形成しているので、換言すれば、ＬＥＤ基板７０は、その板厚方向が表示プレート５５の板厚方向と同方向で、表示プレートの下端面５４から連なるように設けられているので、ＬＥＤ７１から発せられた光は、第１プレート５５ａ、第２プレート５５ｂ内部に直接入射したり、あるいは反射層４９ａ、４９ｂ及び反射層７４により乱反射して間接入射するようになっており、すなわちＬＥＤ７１から発せられた光は、様々な角度と方向から第１プレート５５ａ、第２プレート５５ｂ内部に入射するようになっている。そしてこれは、次のような効果を奏する。
【００７４】
すなわち、たとえば図１１（Ａ）に示すように、ＬＥＤ基板７０を横設してＬＥＤ７１から発せられる光を表示プレート５５（第１プレート５５ａ、第２プレート５５ｂ）内部に直接入射させるもののみにすると、図１１（Ａ）において赤ＬＥＤ７１ａに注目すると、斜線部５９で示す部分にはいずれの赤ＬＥＤ７１ａからも直接光が到達していない。直接光が到達する部分と到達しない部分では明暗の差が大きいので、光の筋が生じてしまう。これは、ＬＥＤ７１には所定の視野角（指向性）があるからである。そして、このような斜線部５９上に模様６０ａ、６０ｂがあると、模様６０ａ、６０ｂは適切に発光しなくなる。一方本実施の形態のように反射層４９ａ、４９ｂ及び反射層７４により乱反射させて表示プレート５５内部に間接入射させるものは、ＬＥＤ７１の視野角には関係なく様々な角度と方向から入射するので、このような光の筋が生じることがなく、従って模様６０ａ、６０ｂは適切に発光する。
【００７５】
さらに図１１（Ｂ）に示すように、ＬＥＤ基板７０を横設した場合には、前記したようにＬＥＤ基板７０の幅は最小でも１０ｍｍ程度の大きさが必要になるため、たとえば表示プレート５５の肉厚が２〜５ｍｍ程度のものでは、ＬＥＤ基板７０が表示プレート５５から奥行方向に突出してしまい、すなわち装飾表示装置５０の厚みが増し、特に奥行方向にはスペースに制約の大きい遊技機１にとっては、極めて取り扱いの悪いものになってしまう。一方本実施の形態のようにＬＥＤ基板７０を立設するようにすれば、すなわちＬＥＤ基板７０を、その板厚方向を表示プレート５５の板厚方向と同方向で、表示プレートの下端面５４から連なるように設けるようにすれば、装飾表示装置５０の厚みが増すことはなく、コンパクトで極めて取り扱い易いものとなる。なお、図１１（Ａ）は、ＬＥＤ基板７０を横設した場合のＬＥＤ７１の指向性と表示プレート５５内の照射領域との関係を示す正面図、図１１（Ｂ）は、図１１（Ａ）の側面図である。
【００７６】
図１２は、ＬＥＤ７１から入射した光の第１プレート５５ａ、第２プレート５５ｂ内部における伝播経路を示しており、ＬＥＤ７１から発せられた光は、一例として入射光５１に示すように第１プレート５５ａ、第２プレート５５ｂの内部を通過し、第１プレート５５ａ、第２プレート５５ｂの縁部に到達した入射光５１は、反射テープ５６ａ、５６ｂで反射して再び第１プレート５５ａ、第２プレート５５ｂの内部を通過する。
【００７７】
そして、このように第１プレート５５ａ、第２プレート５５ｂ内部に入射した入射光５１が、上記したような経路を辿る過程で印刷部６０ａ、６０ｂに到達すると、前記拡散反射特性により図１３に示すような拡散した反射光５２が発生し、この光が表示プレート５５の外部に出射し、印刷部６０ａ、６０ｂが発光するように見える。なお、ＬＥＤ７１が臨む第１プレートの端面５４ａ、第２プレートの端面５４ｂは、バフ（磨き…鏡面加工）をかけるのが好ましく、これによりさらに模様（印刷部）６０ａ、６０ｂの発光強度が増す。なお、図１３は、ＬＥＤ７１から入射した光が印刷部６０ａ、６０ｂで乱反射する様子を示している。
【００７８】
図１４は、装飾表示装置５０の模様（印刷部６０ａ、６０ｂ）が発光する様子を模式的に示したものである。表示プレート５５（第１プレート５５ａ、第２プレート５５ｂ）全体が光るのではなく、表示プレート５５（第１プレート５５ａ、第２プレート５５ｂ）に付した模様（印刷部６０ａ、６０ｂ）だけが光るので、高い装飾効果を得ることができる。
【００７９】
ところで、模様（印刷部）６０の発光色は、印刷部６０の印刷色とＬＥＤ７１の発光色（波長）とにより決定される。すなわち、印刷部６０の印刷色が無色や白色であれば、ほぼＬＥＤ７１の発光色が模様（印刷部６０）の発光色になる。印刷部６０の印刷色が有色であれば、ほぼ印刷部６０の印刷色とＬＥＤ７１の発光色とを混合した色が模様（印刷部６０）の発光色になる。またＬＥＤ７１の発光色が白色であれば、ほぼ印刷部６０の印刷色が模様（印刷部６０）の発光色となる。
【００８０】
図１５は、ＬＥＤ７１の発光色（波長）と模様（印刷部）６０の印刷色との組み合わせ方と印刷部６０の発光強度との関係を示す説明図である。図中の「Ａ」は発光強度が強いことを「Ｂ」はやや強いことを、「Ｃ」はやや弱いことを、「Ｄ」は非常に弱いことを、「Ｅ」が発光しないことをそれぞれ表している。
【００８１】
模様（印刷部）６０の発光強度は、ＬＥＤ７１の発光色（波長）と印刷部６０の印刷色の双方に依存している。印刷部６０の印刷色が黒色（若しくはそれに近い色）の場合には、ＬＥＤ７１の発光色にかかわらず黒となり、模様（印刷部６０）はほとんど発光しない。また、ＬＥＤ７１の発光色と印刷部６０の印刷色とが同じ場合には発光強度が強く、ＬＥＤ７１の発光色と印刷部６０の印刷色とが補色の関係に近づくほど発光強度は弱くなる。
【００８２】
たとえば、ＬＥＤの色が「赤」で印刷色が「緑」や「青」の場合は、補色の関係あるいは補色に近い関係にあるので発光強度は非常に弱い「Ｄ」になっている。またＬＥＤの色が「青」で印刷色がその補色の「赤」の場合にも発光強度はやや弱い「Ｃ」になる。したがって、たとえば第１プレート５５ａに青の模様と赤の模様とを印刷しておき、点灯するＬＥＤの色を青と赤とに切り替えれば、赤ＬＥＤの点灯時には赤の模様だけが発光し、青ＬＥＤの点灯時にはほぼ青の模様だけが発光するので、発光する箇所が切り替わり、変化に富む装飾効果を得ることが可能になる。
【００８３】
図１６（Ａ）は、装飾表示装置５０を遊技盤６に取り付ける場合の説明図、図１６（Ｂ）は、装飾表示装置５０が遊技盤６に取り付けられた状態を示す斜視図である。遊技盤６には、予め装飾表示装置５０と略同じ大きさの嵌合孔６９をルーター加工にて形成し、図１６（Ａ）に示すように、この嵌合孔６９に装飾表示装置５０を宛い、鍔６６ａ、６６ｂ、６６ｃの穴に螺子を挿通して装飾表示装置５０を遊技盤６に螺着する。これにより図１６（Ｂ）に示すように、装飾表示装置５０を遊技盤６に容易に着脱することができる。
【００８４】
従って、装飾表示装置５０の模様６０を変更したいときは、装飾表示装置５０を遊技盤６から取り外し、既存の模様６０が施された表示プレート５５をフレーム６２から引き抜いた後、新しい模様６０が施された表示プレート５５をストッパ片４７ａ、４７ｂ、４７ｃ、４７ｄに当接するまでフレーム６２にスライド挿入し、再び装飾表示装置５０を遊技盤６に取り付けるという極めて簡単な作業で行うことが可能となる。この場合、第１プレート５５ａ、第２プレート５５ｂのうち１つだけを交換してもよいし、両者共に交換してもよい。さらに、模様６０は表示プレート５５に印刷するだけなので、新しい模様６０を表示プレート５５に施す場合においても、極めて容易且つ安価に行うことができる。
【００８５】
またさらに、装飾表示装置５０は遊技盤６とほぼ同一平面上に形成されるので、落下する遊技球の通り道も考慮する必要がなく、また遊技球が装飾表示装置５０に衝突しても、表示プレート５５は丈夫な導光板（メタクリル樹脂、アクリル樹脂）で形成されているので損傷することがない。加えて、ＬＥＤ基板７０を立設して形成しているので、２枚の第１プレート５５ａ、第２プレート５５ｂで構成されている装飾表示装置５０であっても、奥行方向の出っ張りをなくしたコンパクトな設計が可能となり、遊技機１のスペースを有効活用することができる。
【００８６】
この様に構成される遊技機１は、図１に示すように、まず遊技者の打球操作ハンドル２の操作により、打球発射装置４３から遊技球が発射され、打球誘導レール３と遊技領域形成レール４の間を通って遊技球が遊技盤６の遊技領域５に打ち出される。そして、遊技球は遊技領域５を自重により落下し、落下する過程においては、遊技領域５に植設される図示しない遊技釘や風車２０によって落下する方向に変化を与えられ、始動入賞口１１や普通入賞口１４に入賞したり、普通図柄作動ゲート１９を通過したり、全ての入賞口に入賞しなかった場合には、アウト口１６に回収されるようになっている。
【００８７】
遊技球が始動入賞口１１に入賞した場合には、所定の賞品球を遊技者に与えると共に、後述する始動口センサ３２（図１７参照）によって遊技球を検出し、特別図柄表示装置４５の各図柄表示部８、９、１０に特別図柄を所定時間変動表示（スクロール表示）させた後に左図柄表示部８をまず停止させ、次に中図柄表示部９を停止し、最後に右図柄表示部１０を停止して確定表示させる大当り抽選（以下、大当り抽選ゲームともいう）を行う。
【００８８】
そして特別図柄表示装置４５において、左図柄表示部８の特別図柄と中図柄表示部９の特別図柄とが停止した時点で大当りを構成する特別図柄の組合せ（たとえば同一の特別図柄の組合せ）である場合にはリーチとなり、特別図柄表示装置４５にて所定のリーチアクションが表示されるようになっており、その後右図柄表示部１０の特別図柄が停止した時点で確定表示された特別図柄が予め定められた特別図柄の組合せ（大当り図柄、たとえば同一の特別図柄の組合せ）である場合には大当りとなり、大入賞口７としてのアタッカを所定の態様で開放する大当り遊技が実行されるようになっており、これら以外の特別図柄の組合せである場合には、はずれとなる。
【００８９】
また、遊技球が普通入賞口１４に入賞した場合には、所定の賞品球が遊技者に与えられる。また、遊技球が普通図柄作動ゲート１９を通過した場合には、普通図柄表示装置１８に普通図柄を変動表示させて抽選を行い、確定表示された普通図柄が予め定められた普通図柄である場合には当りとなり、始動入賞口（電動チューリップ）１１の羽根を所定時間開放するようなっている。
【００９０】
ここで本実施形態の遊技機１では、各図柄表示部８、９、１０には特別図柄として「１」〜「１４」の数字が表示されるようになっており、特別図柄の組合せとしてリーチになるのは左図柄表示部８及び中図柄表示部９に「１、１」〜「１４、１４」が表示された場合であり、特別図柄の組合せとして大当りになるのは各図柄表示部８、９、１０に大当り図柄「１、１、１」〜「１４、１４、１４」が表示された場合である。
【００９１】
また大当り図柄のうち奇数のゾロ目の数字図柄（「１、１、１」「３、３、３」「５、５、５」「７、７、７」「９、９、９」「１１、１１、１１」「１３、１３、１３」）は特定大当図柄、偶数のゾロ目の数字図柄（「２、２、２」「４、４、４」「６、６、６」「８、８、８」「１０、１０、１０」「１２、１２、１２」「１４、１４、１４」）は通常大当図柄となり、特定大当図柄は、通常大当図柄よりも遊技者にとってさらに有利な特別遊技が付与されるようになっている。
【００９２】
即ち特定大当図柄が確定表示された場合には特別遊技として、この特定大当図柄が確定表示されてから所定回数（たとえば１００回）の大当り抽選ゲームが消化されるまでは、あるいは次の大当りが来るまでは、大当りになる抽選確率（以下、大当り確率ともいう）を上昇すると共に、普通図柄が当りになる抽選確率（以下、当り確率ともいう）を上昇し、普通図柄の変動時間を短縮し、始動入賞口１１の開放時間を延長し、及び特別図柄の変動時間を短縮する、いわゆる確変遊技が付与される。一方通常大当図柄が確定表示された場合には特別遊技として、確変状態のうち大当り確率の上昇のみが無い、いわゆる時短遊技が付与される。
【００９３】
次に遊技機１の裏側に設けられたメイン制御回路２５を図１７を用いて説明する。図１７は、本実施形態の遊技機１に配備された制御系統の要部ブロック図である。メイン制御回路２５は、ワンチップマイクロコンピュータ２６と、入出力回路２７等により構成されている。ワンチップマイクロコンピュータ２６は、その内部にＣＰＵ２９、ＲＡＭ３０、ＲＯＭ３１等を備えている。
【００９４】
ワンチップマイクロコンピュータ２６は、入出力回路２７を介して各種制御回路、各種駆動装置及び各種スイッチ等に結ばれている。すなわち、入出力回路２７には、始動入賞口１１対して設けられた始動口センサ３２、その他入賞センサ類（たとえば、普通図柄作動ゲート１９への遊技球の通過を検出する普通図柄始動スイッチ）が接続されている。
【００９５】
また、入出力回路２７には中継回路３３が接続され、中継回路３３には大入賞口７を開放動作するためのソレノイド３４、大入賞口７へ入賞した遊技球を検出するカウントセンサ３５、大入賞口７内に設けられた特定領域への遊技球の通過を検出する特定領域センサ３６が接続されている。さらに、入出力回路２７には、本発明の要部である装飾表示装置５０、及び遊技盤面に配備されているＬＥＤ（たとえば、保留ＬＥＤ２２や保留ＬＥＤ２３）や各種表示ランプ（たとえば、遊技効果ランプ１５）等を点灯制御するランプ制御回路３７、スピーカ３９より各種の効果音を拡声させるための音声制御を行う音声制御回路３８及びその他ソレノイド類（たとえば、始動入賞口（電動チューリップ）１１を拡開動作させるソレノイド）が接続されている。
【００９６】
また、入出力回路２７には払出制御回路４０及び表示制御回路４４が接続されている。払出制御回路４０は、内部に制御用ＣＰＵ（図示せず）、このＣＰＵの作業領域や各賞球コマンドに対応した賞品球数等を保持記憶するための記憶エリアを備えたＲＡＭ及び制御データ及び賞球払出しのための制御プログラム等が記憶されたＲＯＭなどを備えている。払出制御回路４０は、メイン制御回路２５から指令される賞球コマンドに従って賞球払出装置４１を駆動制御し、賞品球の払出制御を行う。払出制御回路４０には、前述のメイン制御回路２５が通信接続されている他、発射制御回路４２を介して遊技領域５に向けてパチンコ球を弾発するための打球発射装置４３が接続されており、打球発射装置４３の動作停止／動作停止解除を制御する。
【００９７】
表示制御回路４４は、特別図柄表示装置４５及び普通図柄表示装置４６が接続されている。また、表示制御回路４４は、内部に表示制御用ＣＰＵ（図示せず）、画像データ及びこのＣＰＵによる作業領域等を備えたＲＡＭ及び各コマンドに対応した表示制御データ及びキャラクタや図柄が記憶されたＲＯＭなどを備えている。
【００９８】
表示制御回路４４はメイン制御回路２５からストローブ信号が入力されると、前記ＣＰＵは表示制御用コマンドを認識する。この表示制御用コマンドに対応するデータエリアから表示制御データ及びキャラクタや図柄が前記ＲＯＭから読み出され、画像データを記憶する前記ＲＡＭに格納される。格納された画像データは表示順がくると前記ＲＡＭから画像データが読み出され、液晶表示板（特別図柄表示装置４５）に表示される。
【００９９】
図１８は、メイン制御回路２５のＣＰＵ２９が実行する装飾表示装置表示処理を示すフローチャートである。電源投入直後、ＣＰＵ２９は初期化処理を行い、スタックの設定や以下の処理に必要な各フラグ、各レジスタ及び各記憶エリアの初期化を行う。その後、装飾表示装置表示処理に移行すると、ＣＰＵ２９は、遊技機１の種々の遊技状態に応じて装飾表示装置５０を様々な態様にて点灯制御する。なお装飾表示装置表示処理は、所定の周期（数ミリ秒）で繰り返し実行される。
【０１００】
まずステップＳ１０の図柄変動表示処理は、特別図柄表示装置４５にて大当り抽選ゲームが表示されている場合に装飾表示装置５０を所定の図柄変動点灯パターンにて表示するもので、大当り抽選ゲームが表示されていない場合には、ＣＰＵ２９は、ステップＳ２０の大当り表示処理へ移行する。この大当り表示処理は、大当り遊技が実行されている場合に装飾表示装置５０を所定の大当り点灯パターンにて表示するもので、大当り遊技が実行されていない場合には、ＣＰＵ２９は、ステップＳ３０の時短表示処理へ移行する。
【０１０１】
この時短表示処理は、前記時短遊技が実行されている場合に装飾表示装置５０を所定の時短点灯パターンにて表示するもので、時短遊技が実行されていない場合には、ＣＰＵ２９は、ステップＳ４０の確変表示処理へ移行する。この確変表示処理は、前記確変遊技が実行されている場合に装飾表示装置５０を所定の確変点灯パターンにて表示するもので、確変遊技が実行されていない場合には、ＣＰＵ２９は、ステップＳ５０の通常表示処理へ移行する。この通常表示処理は、装飾表示装置表示処理のステップＳ１０〜Ｓ４０の何れの処理も実行されていない場合に（遊技者による遊技が実行されていない場合も含む）、装飾表示装置５０を所定の通常点灯パターンにて表示するようになっている。つまり装飾表示装置５０は、装飾表示装置表示処理のステップＳ１０〜Ｓ５０の何れかの処理が実行されることにより、図柄変動点灯パターン、大当り点灯パターン、時短点灯パターン、確変点灯パターン及び通常点灯パターンのうちの何れかの点灯パターンにて表示されるようになっている。
【０１０２】
なお、これらの点灯パターンの点灯態様は特に限定するものではないが、第１プレート２５ａと第２プレート２５ｂとの点灯パターンの組合せとして、両者ともに常時点灯、常時点灯と点滅、両者の同期または交互点滅、両者ともに同期、非同期または交互グラデーション、グラデーションと点滅、常時点灯とグラデーションなどが考えられる。
【０１０３】
点滅には高速点滅から低速点滅まで種々考えられ、たとえば５０ｍｓｅｃ〜２秒ぐらいの範囲で適宜設定するようにしてもよい。またグラデーションとは、徐々に色の濃淡をつけて点灯または消灯する態様（フェードイン・フェードアウト）であり、グラデーションにおいて同期とは、第１プレート５５ａと第２プレート５５ｂとのグラデーションの点灯時間が同じであって、且つ同じタイミングで点灯または消灯する態様であり、非同期とは、第１プレート５５ａと第２プレート５５ｂとのグラデーションの点灯時間が同じであっても、異なるタイミング（タイムラグ）で点灯または消灯する態様であり、交互とは、第１プレート５５ａと第２プレート５５ｂとが交互にグラデーション点灯（点灯時間は問わない）する態様である。このグラデーションの点灯時間やタイムラグの時間は種々考えられ、たとえばグラデーションの点灯時間を５秒〜２０秒、タイムラグの時間を２秒〜１８秒ぐらいの範囲で適宜設定するようにしてもよい。
【０１０４】
具体的には、たとえば次のようにしてもよい。図柄変動点灯パターンにおいては、第１プレート５５ａ及び第２プレート５５ｂは赤の同期低速点滅（点滅周期１秒）を基本とし、リーチ状態になったら第１プレート５５ａは青、第２プレート５５ｂは緑の同期高速点滅（点滅周期８０ｍｓｅｃ）とする。大当り点灯パターンにおいては、第１プレート５５ａは橙の常時点灯、第２プレート５５ｂは青のグラデーション（点灯周期８秒）とする。時短点灯パターンにおいては、第１プレート５５ａ、第２プレート５５ｂ共に水色の交互低速点滅（点滅周期１．４秒）とする。確変点灯パターンにおいては、第１プレート５５ａ、第２プレート５５ｂ共に紫のタイムラグ３〜６秒を設けたグラデーション（点灯周期１０秒）とする。通常点灯パターンにおいては、第１プレート５５ａ及び第２プレート５５ｂは赤、青、緑、橙、紫、水色に順次変化する交互グラデーション（点灯周期１２秒及び１４秒）とする。
【０１０５】
このようにすれば遊技機１の装飾効果と演出効果が高まると共に、遊技者は、装飾表示装置５０の点灯色または点滅周期により遊技状態が現在どのようになっているかを認識することができるようになる。なお、橙は赤ＬＥＤ７１ａと緑ＬＥＤ７１ｃとの同時点灯、紫は赤ＬＥＤ７１ａと青ＬＥＤ７１ｂとの同時点灯、水色は青ＬＥＤ７１ｂと緑ＬＥＤ７１ｃとの同時点灯で発色する。また、点灯パターンまたは点灯色の種類は上記に限定されるものではなく、たとえば点灯パターン等は、さらに所定数のＬＥＤ７１単位で点灯制御を行い模様を所望の色で横方向に順次発光（横方向グラデーション）させたりしてもよく、また色等は赤ＬＥＤ７１ａ、青ＬＥＤ７１ｂ、緑ＬＥＤ７１ｃを同時点灯してさらに種類を増やすようにしてもよい。なお色の調節は、点灯するＬＥＤの組み合わせ方や各ＬＥＤの発光強度を変えることで無限に可能になる。たとえば、ＬＥＤ７１に流す電流の値やオン時間を抵抗値やソフトにて制御することで発光強度を調整することができる。
【０１０６】
またさらに、時短点灯パターンまたは確変点灯パターンの表示中にリーチ状態が発生した場合には、図柄変動点灯パターンを優先表示するようにしても良い。このようにすると、さらに遊技の興趣が増大する。そしてこの場合には、リーチ状態を示す点灯色は、時短のときには赤、確変のときには緑の高速点滅にするとよい。これは、時短のときに点灯している水色は、青ＬＥＤ７１ｂと緑ＬＥＤ７１ｃとの２つで発色させているので、水色の発色に使用していない赤にすることで色の差が大きくなり、リーチ状態を示す点灯色を目立たせることができるからである。従って確変のとき（紫）、リーチ状態を示す点灯色を緑にしたのは、同様な理由からである。このように色の違いを目立つようにすることで装飾効果と演出効果が高まる。
【０１０７】
このように、本実施形態では、装飾表示装置５０は第１プレート５５ａの模様６０ａと第２プレート５５ｂの模様６０ｂとが重なり合って所定の絵柄が表示プレート５５に表示されるようになっているので、つまり第２プレート５５ｂの模様６０ｂも透けて視認できるようになっているので、相対的に、第１プレート５５ａ（模様６０ａ）と第２プレート５５ｂ（模様６０ｂ）との点灯パターン（点灯制御）を異ならせたり、第１プレート５５ａ（模様６０ａ）と第２プレート５５ｂ（模様６０ｂ）との点灯色をより鮮明に異ならせることで、表示装置８の装飾効果を極めて向上させることができる。
【０１０８】
また、装飾表示装置５０の点灯制御は、基部フレーム６３内の基部間仕切り５７により、２列に設置されたＬＥＤ７１から発せられる光が必ず対応する第１プレート５５ａ、第２プレート５５ｂ内部に入射し、従って第１プレート５５ａに対応するＬＥＤ７１から発せられる光が第２プレート５５ｂ内部に入射して第２プレート５５ｂの点灯制御（点灯色や点灯パターン）に影響を及ぼしたり、第２プレート５５ｂに対応するＬＥＤ７１から発せられる光が第１プレート５５ａ内部に入射して第１プレート５５ａの点灯制御（点灯色や点灯パターン）に影響を及ぼしたりすることがない。すなわち、装飾表示装置５０の点灯制御は、基部間仕切り５７により、第１プレート５５ａと第２プレート５５ｂとが互いに影響することなくそれぞれ独立して行われる。これにより、装飾表示装置５０において第１プレート５５ａ、第２プレート５５ｂの模様６０ａ、６０ｂを所望する様々な点灯色や点灯パターンにて適正に発光することができる。
【０１０９】
図１９は、表示プレート５５の他の一例を示す斜視図である。なお、これ以降に説明する他の実施形態において、前述した構成と同様な構成については同じ符号を記す。さて、これまでは表示プレート５５に光を拡散する性質の模様を直接印刷にて形成したが、この例では、光を拡散する模様（発光部）６０ｂの印刷されたフィルムシート７８を第２プレート５５ｂに貼着する構成になっている。フィルムシート７８は、第２プレート５５ｂと同じ形にカットされたフィルム状のシートである。
【０１１０】
この場合、フィルムシート７８の裏面側（第２プレート５５ｂへの貼着面と反対側）に模様（発光部）６０ｂを印刷するとよい。この理由は、第２プレート５５ｂとフィルムシート７８とを隙間ができないように密着して貼着することができ、それにより模様の発光強度を増すことができるからである。模様を裏面側に設ける場合には有色透明または無色透明のフィルムシート７８を使用する。模様を表面側に設ける場合は、フィルムシート７８を不透明にしてもよく、フィルムシート７８自体に背景色を出す機能や反射材としての機能を持たせるようにしてもよい。
【０１１１】
図２０は、表示プレート５５のさらに他の一例を示す斜視図である。ここでは、模様（発光部）６０ａの印刷されたフィルムシートをその模様の形にカットしたカッティングシート７９を第１プレート５５ａに貼着する構成になっている。この場合にも、上記と同様な理由から、カッティングシート７９の裏面側に模様（発光部）６０ａを印刷するとよい。
【０１１２】
図１９や図２０のように模様６０を印刷したフィルムシートを表示プレート５５（第１プレート５５ａ、第２プレート５５ｂ）に貼着するようにすれば、装飾表示装置５０のデザインを、シート（カッティングシートまたはフィルム状のシート）を剥がしたり貼ったりするだけの作業で極めて容易に変更することが可能となり、デザイン変更時のコストダウンに繋がる。特にカッティングシート７９では、複数のカッティングシート７９の組み合わせ方や表示プレート５５（第１プレート５５ａ、第２プレート５５ｂ）に貼着する際の配置を変えることで様々なデザインを形成することができる。
【０１１３】
なお、表示プレート５５（第１プレート５５ａ、第２プレート５５ｂ）に模様を直接印刷する場合でも、元の印刷を消して新しいデザインの模様を印刷するようにすれば、プレート材（導光板）のリサイクルも可能になる。
【０１１４】
図２１は、表示プレート５５のさらに他の一例を示す斜視図である。この例は、第１プレートの上部を手前側に折り曲げて略Ｌ字状に形成した第１プレート１５５ａとし、表示プレートをこの第１プレート１５５ａと前記第２プレート５５ｂとから構成している。第１プレート１５５ａの印刷面（光を拡散する模様のある面）は、折り曲げ部１５１では図において下側に、平面部１５２では図において奥側になっている。従って、この第１プレート１５５ａを製作する場合には、まず平板状の導光板の両面に印刷（折り曲げ部１５１用の印刷と平面部１５２用の印刷）を施し、その後、略Ｌ字状に曲加工すればよい。
【０１１５】
曲加工では熱処理が発生するので、ここでは熱成形しやすい押出し製法により製造した押出し板（メタクリル樹脂、アクリル樹脂）を導光板として採用するのが好ましい。但し、前述したように押出し板はキャスト板に比べ耐衝撃性・表面硬度などが劣るので、ここではこれらを考慮して第１プレート１５５ａには、折り曲げ部１５１と平面部１５２の表面（遊技球が衝突する面）を保護する傷付き防止コーティング１４７を設けている。なお傷付き防止コーティング１４７には、汚れを分解する光触媒（酸化チタン）を混入させてもよい。
【０１１６】
また第１プレート１５５ａの前端部１５３側から光りを照射する構成となっており、前端部１５３には反射テープを貼らずに、前端部１５３から出射される透過光２３３（図２２参照）により装飾効果を高めるようになっている。その為、バフ（磨き…鏡面加工）は、下端部１４９側だけでなく、前端部１５３側にもかけてあり、これにより透過光２３３を強めている。但し、その分、模様の発光強度は若干弱まる。
【０１１７】
なお、ＬＥＤ基板７０は、図６に示したものと同様の方法でフレーム６２に取り付けられる構成になっており、これにより第１プレート１５５ａにおいて、ＬＥＤから発せられた光はＬ字の形状に沿って第１プレート１５５ａの内部を伝播し、第１プレート１５５ａの前端部１５３側から放出される。従って、このように構成された第１プレート１５５ａ及び第２プレート５５ｂを、上記したようにフレーム６２に装着（第１プレート１５５ａ及び第２プレート５５ｂを左右の側フレーム６４ａ、６４ｂに螺子等で固定してもよい）して成る装飾表示装置１５０は、遊技盤６に取り付けられると図２２に示すように、第１プレート１５５ａにおいて折り曲げ部１５１及び平面部１５２の模様（発光部）６０ａのみならず、前端部１５３も発光するので、第２プレート５５ｂの模様（発光部）６０ｂの発光と相俟って高い装飾効果を得ることができる。
【０１１８】
つまり本実施形態の装飾表示装置１５０に示すように、表示プレートには平面だけでなく曲面も採用することができる。加えて装飾表示装置１５０では、折り曲げ部１５１が遊技領域５を落下する遊技球の進路を変更する障害装置や誘導装置の役目も果たすので、装飾効果だけでなく遊技性の向上にも寄与することができ、極めて使い勝手がよい。
【０１１９】
なお、図２２は、遊技盤６に取り付けられた装飾表示装置１５０の前端部１５３が発光する様子を模式的に示したものである。また、この装飾表示装置１５０の構成では、前述したストッパ片４７ｃ、４７ｄは省略してもよい。この理由は、第１プレート１５５ａをフレーム６２に装着するとき、折り曲げ部１５１がストッパ片４７ｃ、４７ｄの役割を果たすからである。
【０１２０】
図２３は、フレーム６２の他の一例を示す斜視図である。この例は、フレーム１６２の鍔１６６ａ、１６６ｂ、１６６ｃの位置を、左右の側フレーム６４ａ、６４ｂ及び基部フレーム６３の後面側に形成したところに特徴がある。また表示プレート５５（第１プレート１５５ａ、第２プレート５５ｂ）の上端部１５４ａ、１５４ｂ側から光りを照射する構成となっており、上端部１５４ａ、１５４ｂには反射テープを貼らずに、上端部１５４ａ、１５４ｂから出射される透過光２３３（図２４参照）により装飾効果を高めるようになっている。その為、上記と同様にバフ（磨き…鏡面加工）は、表示プレート５５の下端部側だけでなく、上端部１５４、１５４ｂ側にもかけてあり、これにより透過光２３３を強めている。但し、その分、模様の発光強度は若干弱まる。
【０１２１】
なお、ＬＥＤ基板７０は、図６に示したものと同様の方法でフレーム６２に取り付けられる構成になっており、これにより、ＬＥＤから発せられた光は表示プレート５５の内部を伝播し、表示プレート５５の上端部１５４ａ、１５４ｂ側から放出される。従って、表示プレート５５を、このように構成されたフレーム１６２に装着（表示プレート５５を左右の側フレーム６４ａ、６４ｂに螺子等で固定してもよい）して成る装飾表示装置２５０は、図２４に示すように、遊技盤６に取り付けられるとその模様（発光部）６０のみならず、表示プレート５５の上端部１５４ａ、１５４ｂも発光するので遊技盤６の表面を照射し、高い装飾効果を得ることができる。
【０１２２】
さらに遊技盤６から突出する部分はほぼ表示プレート５５の厚みだけであるので、遊技領域５を落下する遊技球の進路をほとんど邪魔することがなく、遊技球の通り道を考慮する必要がない。そして本実施形態では、表示プレート５５を２枚の第１プレート１５５ａ及び第２プレート５５ｂにて形成しているものの、前述したようにＬＥＤ基板７０を立設して形成しているので、装飾表示装置２５０の厚み（遊技盤６から前方に突出する部分）を極力薄くすることができる。すなわち本実施形態の装飾表示装置２５０は、複数の表示プレートを使用し透過光２３３も用いて装飾効果を高めつつ、遊技性を低下させることのない極めて使い勝手のよい装置となる。なお、図２４は、遊技盤６に取り付けられた装飾表示装置２５０の上端部１５４ａ、１５４ｂが発光する様子を模式的に示したものである。
【０１２３】
次に、図２５及び図２６を参照しながら、装飾表示装置の他の実施形態について説明する。まず図２５において、（Ａ）は、表示プレート２５５の一部を示す正面図、（Ｂ）は、表示プレート２５５にＬＥＤ基板７０を設置した様子を示す側面図である。図２５（Ａ）に示すように、表示プレート２５５の下部には、複数の貫通孔２５６が形成されており、これらの貫通孔２５６には、図２５（Ｂ）に示すように、立設したＬＥＤ基板７０のＬＥＤ７１が臨むようになっている。つまり、貫通孔２５６は、ＬＥＤ基板７０に設けられたＬＥＤ７１の個数及びピッチに対応して表示プレート２５５に穿設され、ＬＥＤ基板７０は、この貫通孔２５６にＬＥＤ７１が臨むように表示プレート２５５に付設されていると共に、その表面には、前記した反射層７４が施されている。この実施形態では、１枚の表示プレートを図示してあるが、表示プレートは複数枚あってもよい。
【０１２４】
なお、図示していないが、その他の構成は前述した構成に準じて形成すればよく、たとえば前記基部フレーム６３と同様なフレームを設けたり、あるいはシート状のものをＬＥＤ基板７０を包み込むように表示プレート２５５の下部に設けるようにしてもよい。当然ながら、これらフレームやシートの内部は、ほぼ密閉状態で前述した反射層４９ａ、４９ｂのような反射層が形成されている。従ってＬＥＤ７１から発せられた光は、その一部は貫通孔２５６から表示プレート２５５内部に直接入射したり、あるいは貫通孔２５６や表示プレート２５５の下端から反射層により乱反射して間接入射するようになっており、すなわちＬＥＤ７１から発せられた光は、様々な角度と方向から表示プレート２５５内部に入射するようになっており、前述した実施形態と同様な作用効果を奏する。
【０１２５】
なお、貫通孔２５６に変えて、表示プレート２５５の下端面に略半円状の孔を設け、それ以外の構成は前記に準じて形成するようにしてもよい。
【０１２６】
次に、図２６は、装飾表示装置において他の実施形態のＬＥＤ基板７００を用いたときの説明図であり、（Ａ）は、ＬＥＤ基板７００を示す正面図、（Ｂ）は、ＬＥＤ基板７００を装着したときの装飾表示装置の一部断面図である。ＬＥＤ基板７００には、前記した表面実装型のＬＥＤに変えてランプ型の赤ＬＥＤ７１０ａ、青ＬＥＤ７１０ｂ、緑ＬＥＤ７１０ｃが上記と同様に３個を一組として５組設けられている。そして、これらの赤ＬＥＤ７１０ａ、青ＬＥＤ７１０ｂ、緑ＬＥＤ７１０ｃは、図２６（Ｂ）に示すように、ＬＥＤの頭部が表示プレート５５に臨むようにＬ字状の端子でＬＥＤ基板７００に装着されており、このようにすることでもＬＥＤ基板を立設して形成することが可能となる。これにより装飾表示装置の厚みを薄くして、取り扱い易いものにすることができる。
【０１２７】
ここで、この実施形態の装飾表示装置においては、ＬＥＤ７１０から発せられた光は、全て表示プレート５５内に直接入射するようになっており、従って上記したような反射層４９ａ、４９ｂや反射層７４は形成されていない。但し、このように光を表示プレート５５内部に直接入射させるもののみにすると、上記図１１（Ａ）のところで説明した直接光が到達しない斜線部５９（光の筋）が発生するので、本実施形態のフレーム７２０では、この光の筋を覆い隠すだけの充分な長さの目隠し部としての前板７２１が形成されている。
【０１２８】
次に、図２７〜図２９を参照しながら装飾表示装置が遊技機１において遊技盤６以外の箇所に設置される例について説明する。図２７は、遊技機３０１の内枠３１０に装飾表示装置３５０が形成されている様子を示す正面図、図２８は、打球供給皿４１２に装飾表示装置４５０が形成されている様子を示す平面図、図２９は、特別図柄表示装置５４５に装飾表示装置５５０が形成されている様子を示す正面図である。これら装飾表示装置３５０、４５０、５５０は、内枠３１０、打球供給皿４１２、特別図柄表示装置５４５の筐体の所定箇所を前述したフレーム６２に準じて構成し、そこにＬＥＤ基板及び表示プレート（第１プレート、第２プレート）を前述したように装着することで一体的に形成できる。
【０１２９】
なお、装飾表示装置は、これら以外の箇所にも形成可能であり、たとえば遊技盤６に取り付けられる入賞装置や誘導装置、または外枠１８若しくは余剰球受皿１３に設けるようにしてもよく、さらにパチンコ遊技機１に限らず、スロットマシーンやアレンジ、雀球等の遊技機に適宜適用してもよい。
【０１３０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３１】
実施の形態では、表示プレート５５は２枚の導光板（第１プレート５５ａ、第２プレート５５ｂ）にて形成したが、これは３枚以上であってもよい。但し、あまり多いと装飾表示装置５０が厚くなるので好ましくない。また、表示プレート５５を正面視したときに、第１プレート５５ａの模様（印刷部）６０ａと第２プレート５５ｂの模様（印刷部）６０ｂとが重ならないようにしたが、これは所定の箇所が重なるようにしてもよい。模様同士が重なると、その重なった箇所ではＬＥＤ７１の点灯、不点灯に拘わらず色合いが変わり、表示プレート５５の趣が変化するので、これを上手く活用して適宜に模様を施すようにすればよい。
【０１３２】
またコの字状のフレームを一例として示したが、フレームの形状はこれに限定されるものではない。たとえば、表示プレートの周囲４辺を取り囲む枠でも、周囲の対向する２辺で挟み込むようにして表示プレートを支持する枠でもよい。また、Ｌ字状のフレームでも、表示プレートの１辺だけを支持するもの、たとえば表示プレートの下端部を表裏両面から挟み込んで支持するようなものであってもよい。但し、これもまたフレームが厚くなる態様は好ましくない。
【０１３３】
また、フレームに設けた切欠６８の数、大きさ、配置は実施の形態で例示したものに限定されない。また、装飾表示装置５０では、２列に設置されたＬＥＤ７１から発せられる入射光５１が必ず対応する第１プレート５５ａ、第２プレート５５ｂ内部に入射するように、つまり隣接する入射光５１の侵入を防止する防止部材としての機能を果たすように、基部間仕切り５７を上記前板５３と同じ大きさに形成したが、この基部間仕切り５７の大きさは、ＬＥＤ７１の指向性に合わせて適宜に設定すればよい。要は、隣接する入射光５１の侵入を防止できればよい。
【０１３４】
また、第１プレート５５ａと第２プレート５５ｂとは、基部間仕切り５７の厚みだけ隙間ができるので、この隙間から塵等が侵入するのを防止する防塵手段を設けるようにしてもよい。この防塵手段としては、たとえば第１プレート５５ａ及び第２プレートの５５ｂの上端面の隙間を塞ぐようにテープを貼ったり、プレートを付設してこの隙間を塞ぐようにすること等が考えられる。さらに、このようにすれば、第１プレート５５ａと第２プレート５５ｂとの相対位置を、より精度高く固定することもできる。勿論、防塵手段とは別に、ピン等で第１プレート５５ａと第２プレート５５ｂとを固定するようにしてもよい。
【０１３５】
また、表示プレートは上方からスライドさせてフレームに装着するようにしたが、これは光源（ＬＥＤ基板７０）をフレーム上部に設けてフレーム下部を開放し、表示プレートをフレームの下方から装着するようにしてもよく、この場合には、表示プレートを左右の側フレーム６４ａ、６４ｂに螺子等で固定するのが好ましい。このようにすると、たとえば装飾表示装置２５０においては、下端部側が発光するようになり、装飾表示装置２５０の下方の遊技盤６の表面を照射することができるようになる。
【０１３６】
このほか、装飾表示装置は、所定時間が経過すると自動的に点灯態様が変化するように構成してもよい。たとえば、朝、昼、夜で点灯色を、それに合った色調に変更するなどである。また、ＬＥＤ７１はフルカラーのＬＥＤを採用してもよい。
【０１３７】
このほか実施の形態では、表示プレートの１つの端面のみから光源の光を照射するように構成したが、２以上の端面から光を照射してもよい。たとえば、表示プレートが縦方向に長くて一方の端面から光を照射しただけでは光が他端まで到達し難い場合には、対向する両端面から光を照射するように構成するとよい。
【０１３８】
また、表示プレートの表面に半透明状の有色（たとえば黒）のシートやプレートを付設するようにしてもよい。このようにすると、ＬＥＤ７１が点灯していないときは模様６０が見えにくくなり、一方ＬＥＤ７１が点灯すると、模様６０が何もないところから出現するような演出が可能となり、演出効果が向上する。
【０１３９】
また、実施の形態では光を拡散する模様６０を印刷により形成したが、エッチングや彫刻により導光板に直接模様を形成してもよい。彫られた箇所は導光板内の光を拡散して発光する。
【０１４０】
次に特許請求の範囲の構成と、本発明の実施形態との主な対応を説明する。遊技機は遊技機１に相当し、装飾表示装置は装飾表示装置５０、１５０、２５０、３５０、４５０、５５０に相当し、模様は模様（印刷部）６０、６０ａ、６０ｂに相当し、表示プレートは表示プレート５５、５５ａ、５５ｂ、１５５ａに相当し、表示プレートの光が入射する端面は表示プレートの下端（光の入射端面）５４、５４ａ、５４ｂ、１４９に相当し、光源部はＬＥＤ７１、７１ａ、７１ｂ、７１ｃ、７１０、７１０ａ、７１０ｂ、７１０ｃに相当し、基板はＬＥＤ基板７０、７００に相当し、受け部材はフレーム６２、１６２、７２０、内枠３１０、打球供給皿４１２、特別図柄表示装置５４５に相当し、フレームはフレーム６２、１６２、７２０に相当し、枠部材は内枠３１０に相当し、遊技媒体貯留皿は打球供給皿４１２に相当し、遊技装置は特別図柄表示装置５４５に相当し、表面実装型の発光ダイオードはＬＥＤ７１に相当し、反射部材は反射層４９ａ、４９ｂ、７４に相当し、ランプ型の発光ダイオードは７１０に相当し、目隠し部は前板７２１に相当し、孔は貫通孔２５６に相当し、第１表示プレートは第１プレート５５ａに相当し、第２表示プレートは第２プレート５５ｂに相当し、第１光源部は第１プレート５５ａに対応するＬＥＤ７１、７１ａ、７１ｂ、７１ｃ、７１０、７１０ａ、７１０ｂ、７１０ｃに相当し、第２光源部は第２プレート５５ｂに対応するＬＥＤ７１、７１０に相当し、防止部材は基部間仕切り５７に相当し、制御部はメイン制御回路２５に相当し、フィルムシートはフィルムシート７８、カッティングシート７９に相当する。
【図面の簡単な説明】
【０１４１】
【図１】本実施形態の遊技機１の全体正面図である。
【図２】本実施形態の遊技盤６に取り付けられた装飾表示装置５０の分解斜視図である。
【図３】本実施形態の表示プレート５５（第１プレート５５ａ、第２プレート５５ｂ）を示す分解斜視図である。
【図４】本実施形態のフレーム６２を示す六面図である。
【図５】本実施形態のＬＥＤ基板７０の正面図である。
【図６】本実施形態のフレーム６２内にＬＥＤ基板７０を設置した状態を示す平面図と正面図である。
【図７】本実施形態の表示プレート５５を基部フレーム６３に取り付けた状態の装飾表示装置５０をその内部構造とともに示した正面図である。
【図８】本実施形態の第１プレート５５ａ、反射テープ５６ａ、反射シート５８ａの分解斜視図である。
【図９】本実施形態の第２プレート５５ｂ、反射テープ５６ｂ、反射シート５８ｂの分解斜視図である。
【図１０】本実施形態の基部フレーム６３内に２列に設置されたＬＥＤ７１から発せられる光が、反射層４９ａ、４９ｂ及び反射層７４に反射して第１プレート５５ａ、第２プレート５５ｂ内部に入射する様子を示す断面図である。
【図１１】（Ａ）は、本実施形態のＬＥＤ基板７０を横設した場合のＬＥＤ７１の指向性と表示プレート５５内の照射領域との関係を示す正面図、（Ｂ）は、（Ａ）の側面図である。
【図１２】本実施形態のＬＥＤ７１から入射した光の表示プレート５５内部における伝播経路を示す説明図である。
【図１３】本実施形態のＬＥＤ７１から入射した光が模様（印刷部）６０にて乱反射する状態を示す説明図である。
【図１４】本実施形態の装飾表示装置５０の模様（印刷部６０）が発光する様子を模式的に示す説明図である。
【図１５】本実施形態のＬＥＤ７１の発光色（波長）と模様（印刷部）６０の印刷色との組み合わせ方と印刷部６０の発光強度との関係を示す説明図である。
【図１６】本実施形態の装飾表示装置５０の遊技盤６への取り付けに係わる説明図である。
【図１７】本実施形態の遊技機１に配備された制御系統の要部ブロック図である。
【図１８】本実施形態のメイン制御回路２５のＣＰＵ２９が実行する装飾表示装置表示処理を示すフローチャートである。
【図１９】模様を印刷したフィルムシート７８を貼り付けた表示プレート５５の他の一例を示す斜視図である。
【図２０】模様を印刷したフィルムシートをその模様の形にカットしたカッティングシート７９を貼り付けた表示プレート５５の他の一例を示す斜視図である。
【図２１】略Ｌ字状に形成した第１プレート１５５ａを用いた他の実施形態の装飾表示装置１５０を示す分解斜視図である。
【図２２】遊技盤６に取り付けられた他の実施形態の装飾表示装置１５０の第１プレート前端１５３が発光する様子を模式的に示す斜視図である。
【図２３】鍔１６６ａ、１６６ｂ、１６６ｃが形成されたフレーム１６２を用いた他の実施形態の装飾表示装置２５０を示す分解斜視図である。
【図２４】遊技盤６に取り付けられた他の実施形態の装飾表示装置２５０の第１プレート上端１５４ａ、第２プレート１５４ｂが発光する様子を模式的に示す斜視図である。
【図２５】他の実施形態の表示プレート２５５に係わる説明図である。
【図２６】他の実施形態のＬＥＤ基板７００に係わる説明図である。
【図２７】遊技機３０１の内枠３１０に設置された他の実施形態の装飾表示装置３５０を示す説明図である。
【図２８】打球供給皿４１２に設置された他の実施形態の装飾表示装置４５０を示す説明図である。
【図２９】特別図柄表示装置５４５に設置された他の実施形態の装飾表示装置５５０を示す説明図である。
【符号の説明】
【０１４２】
１…遊技機、  ２…打球操作ハンドル、
３…打球誘導レール、  ４…遊技領域形成レール、
５…遊技領域、  ６…遊技盤、  ７…大入賞口、
８…左図柄表示部、  ９…中図柄表示部、
１０…右図柄表示部、  １１…始動入賞口（電動チューリップ）、
１２…打球供給皿、  １３…余剰球受皿、
１４…普通入賞口、  １５…遊技効果ランプ、
１６…アウト口、  １７…ガラス扉枠、
１８…外枠、  １９…普通図柄作動ゲート、
２０…風車、  ２１…内枠、  ２２…保留ＬＥＤ、
２３…保留ＬＥＤ、  ２５…メイン制御回路、
２６…ワンチップマイクロコンピュータ、  ２７…入出力回路、
２９…ＣＰＵ、  ３０…ＲＡＭ、
３１…ＲＯＭ、  ３２…始動口センサ、
３３…中継回路、  ３４…ソレノイド、
３５…カウントセンサ、  ３６…特定領域センサ、
３７…ランプ制御回路、  ３８…音声制御回路、
３９…スピーカ、  ４０…払出制御回路、
４１…賞球払出装置、  ４２…発射制御回路、
４３…打球発射装置、  ４４…表示制御回路、
４５…特別図柄表示装置、  ４６…普通図柄表示装置、
４７ａ、４７ｂ、４７ｃ、４７ｄ…ストッパ片、  ４８ａ、４８ｂ…嵌合溝、
４９ａ、４９ｂ…反射層、  ５０…装飾表示装置、
５１…入射光、  ５２…反射光、
５３…前板、  ５４、５４ａ、５４ｂ…表示プレートの下端（光の入射端面）、
５５…表示プレート、  ５５ａ…第１プレート、
５５ｂ…第２プレート、  ５６ａ、５６ｂ…反射テープ、
５７…基部間仕切り、  ５８ａ、５８ｂ…反射シート、
５９…斜線部、  ６０、６０ａ、６０ｂ…模様（印刷部）、
６１ａ、６１ｂ…側間仕切り、  ６２…フレーム、
６３…基部フレーム、  ６４ａ、６４ｂ…側フレーム、
６５…背板、  ６６ａ、６６ｂ、６６ｃ…鍔、
６７…ワイヤハーネス、  ６８…切欠、  ６９…嵌合孔、
７０…ＬＥＤ基板、  ７１…ＬＥＤ、
７１ａ…赤ＬＥＤ、  ７１ｂ…青ＬＥＤ、  ７１ｃ…緑ＬＥＤ、
７２…抵抗、  ７４…反射層、
７８…フィルムシート、  ７９…カッティングシート、
１４７…傷付き防止コーティング、
１４９…第１プレートの下端（光の入射端面）、
１５０…装飾表示装置、  １５１…折り曲げ部、
１５２…平面部、  １５３…第１プレートの前端（光の放射端面）、
１５４ａ…第１プレートの上端（光の放射端面）、
１５４ｂ…第２プレートの上端（光の放射端面）、
１５５ａ…第１プレート、  １６２…フレーム、
１６６ａ、１６６ｂ、１６６ｃ…鍔、  ２３３…透過光、
２５０…装飾表示装置、  ２５５…表示プレート、  ２５６…貫通孔、
３０１…遊技機、  ３１０…内枠、
３５０…装飾表示装置、  ４１２…打球供給皿、
４５０…装飾表示装置、  ５４５…特別図柄表示装置、
５５０…装飾表示装置、  ７００…ＬＥＤ基板、
７１０…ＬＥＤ、  ７１０ａ…赤ＬＥＤ、
７１０ｂ…青ＬＥＤ、  ７１０ｃ…緑ＬＥＤ、
７２０…フレーム、  ７２１…前板
【図１】
2007037891.tif 000003
【図２】
2007037891.tif 000004
【図３】
2007037891.tif 000005
【図４】
2007037891.tif 000006
【図５】
2007037891.tif 000007
【図６】
2007037891.tif 000008
【図７】
2007037891.tif 000009
【図８】
2007037891.tif 000010
【図９】
2007037891.tif 000011
【図１０】
2007037891.tif 000012
【図１１】
2007037891.tif 000013
【図１２】
2007037891.tif 000014
【図１３】
2007037891.tif 000015
【図１４】
2007037891.tif 000016
【図１５】
2007037891.tif 000017
【図１６】
2007037891.tif 000018
【図１７】
2007037891.tif 000019
【図１８】
2007037891.tif 000020
【図１９】
2007037891.tif 000021
【図２０】
2007037891.tif 000022
【図２１】
2007037891.tif 000023
【図２２】
2007037891.tif 000024
【図２３】
2007037891.tif 000025
【図２４】
2007037891.tif 000026
【図２５】
2007037891.tif 000027
【図２６】
2007037891.tif 000028
【図２７】
2007037891.tif 000029
【図２８】
2007037891.tif 000030
【図２９】
2007037891.tif 000031